(57)【要約】　　　（修正有）【課題】建築現場毎に行う建築材料の品揃いを容易に且つ確実に行うことができるとともに、建築現場単位で行う配送車への積み込み及び配送車からの積み降ろしを容易に且つ確実に行うことができる現場別配送用ラックを提供する。【解決手段】ドア、幅木、廻縁、枠組み等の建築材料３０及び物流品５を建築現場毎に収納するとともに、上記収納した建築材料等を各建築現場に配送するために用いられる現場別配送用ラック１を、上記ドア、幅木、廻縁、枠組み等の建築材料３０及び物流品５の端部に付設されているラベル３を容易に撮影することが可能に構成したこと、少なくとも前方又は後方の何れか一方からラック内部の全体を見通すことが可能に構成したこと、ラックの移動を容易にするためのキャスター１４，１５を底部に取り付けたことにより、上記建築材料３０及び物流品５の品揃い及び配送作業を容易に且つ確実に行うことができるようにする。【選択図】　　　　図３
0003099695.tif 000002
【実用新案登録請求の範囲】
【請求項１】
ドア、幅木、廻縁、枠組み等の建築材料を建築現場毎に収納するとともに、上記収納した建築材料を各建築現場に配送するために用いられる現場別配送用ラック１であって、
上記ドア、幅木、廻縁、枠組み等の建築材料の端部に付設されているラベル３を突出させて収納することにより、上記ラベル３を撮影することが可能に構成したこと、少なくとも前方又は後方の何れか一方からラック内部の全体を見通すことが可能に構成したこと、ラックの移動を容易にするためのキャスター１４，１５を底部に取り付けたことを特徴とする現場別配送用ラック。
【請求項２】
ドア、幅木、廻縁、枠組み等の建築材料を建築現場毎に収納するとともに、上記収納した建築材料を各建築現場に配送するために用いられる現場別配送用ラック３００であって、
上記ドア、幅木、廻縁、枠組み等の建築材料を収納するラック本体部分３１０を縦方向パイプ部材３２０及び横方向パイプ部材３３０を組み合わせて構成するとともに、建築材料用パイプ３４０の複数を上記縦方向パイプ部材３２０及び横方向パイプ部材３３０に取り付けて上記ドア、幅木、廻縁、枠組み等の建築材料を支持するようにして、上記ドア、幅木、廻縁、枠組み等の建築材料の端部に付設されているラベル３を外部から撮影することが可能に構成したこと、ラックの移動を容易にするためのキャスター１４，１５を底部に取り付けたこと、上記ドア、幅木、廻縁、枠組み等の建築材料を収納保持している状態においては側方向に進出してラックを安定的に支持し、建築現場に配送するために運搬車に乗せる状態においてはラック本体内に後退してラックの全幅を小さくする進退自在キャスター３５０をラック底部５００の下側に複数個配設したことを特徴とする現場別配送用ラック。
【考案の詳細な説明】
【０００１】
【考案の属する技術分野】
本考案は、現場別配送用ラックに関し、特に、ドア、幅木、廻縁、枠組み等の建築材料を配送先の建築現場毎に収納しておくために用いて好適なものである。
【０００２】
【従来の技術】
木造建築においては、例えば、ドア、幅木、廻縁、枠組み等のような種々の建築材料が使用される。これらの種々の建築材料を納入する納入業者は、受注を受けた建築材料を工場で作成したり、既製品を購入したりすることにより品揃いするようにしている。
【０００３】
そして、例えば特許文献１に示すように、各建築現場単位でその工事進捗データ及び既配送の部材データを把握し、双方のデータによりその後の一定期間に進行する工程に搬入が必要な部材を積算し、更にその積算された部材の総重量及び総容積を算出して、トラックの容量に納まる複数の建築現場の組み合わせを決定するようにしている。
【０００４】
【特許文献１】
特開２０００−３０５９９２号公報
【０００５】
【考案が解決しようとする課題】
従来は、上述のような建築材料を配送先の建築現場毎に、例えば倉庫の棚に載せて品揃いするようにしていた。このため、棚に載せられている建築材料が建築現場毎に品揃いされていることが一目で分かり難いので、必要な建築材料を確実に品揃いしたか否かを確認するのに手間がかかり、品揃いの不備が発生しやすい問題があった。
【０００６】
また、上記建築現場毎に品揃いした建築材料を配送するために、これらの建築材料を上記棚等から降ろして配送車に載せる際に間違いが発生する可能性があった。更に、複数の建築現場に配送する建築材料が配送車に混載してある場合には、配送車から建築材料を降ろす際に間違いが発生する可能性があった。
【０００７】
本考案は上述の問題点にかんがみてなされたもので、建築現場毎に行う建築材料の品揃いを容易に且つ確実に行うことができるとともに、建築現場単位で行う配送車への積み込み及び配送車からの積み降ろしを容易に且つ確実に行うことが可能な現場別配送用ラックを提供できるようにすることを目的とする。
【０００８】
【課題を解決するための手段】
本考案の現場別配送用ラックは、ドア、幅木、廻縁、枠組み等の建築材料を建築現場毎に収納するとともに、上記収納した建築材料を各建築現場に配送するために用いられる現場別配送用ラック１であって、上記ドア、幅木、廻縁、枠組み等の建築材料の端部に付設されているラベル３を突出させて収納することにより、上記ラベル３を撮影することが可能に構成したこと、少なくとも前方又は後方の何れか一方からラック内部の全体を見通すことが可能に構成したこと、ラックの移動を容易にするためのキャスター１４，１５を底部に取り付けたことを特徴としている。
【０００９】
本考案の他の特徴とするところは、ドア、幅木、廻縁、枠組み等の建築材料を建築現場毎に収納するとともに、上記収納した建築材料を各建築現場に配送するために用いられる現場別配送用ラック３００であって、
上記ドア、幅木、廻縁、枠組み等の建築材料を収納するラック本体部分３１０を縦方向パイプ部材３２０及び横方向パイプ部材３３０を組み合わせて構成するとともに、建築材料用パイプ３４０の複数を上記縦方向パイプ部材３２０及び横方向パイプ部材３３０に取り付けて上記ドア、幅木、廻縁、枠組み等の建築材料を支持するようにして、上記ドア、幅木、廻縁、枠組み等の建築材料の端部に付設されているラベル３を外部から撮影することが可能に構成したこと、ラックの移動を容易にするためのキャスター１４，１５を底部に取り付けたこと、上記ドア、幅木、廻縁、枠組み等の建築材料を収納保持している状態においては側方向に進出してラックを安定的に支持し、建築現場に配送するために運搬車に乗せる状態においてはラック本体内に後退してラックの全幅を小さくする進退自在キャスター３５０をラック底部５００の下側に複数個配設したことを特徴としている。
【００１０】
【考案の実施の形態】
（第１の実施の形態）
次に、添付図面を参照しながら本考案の現場別配送用ラックの第１の実施の形態について説明する。
図１は、本考案に係る現場別配送用ラックの実施の形態を示す斜視図、図２は側面図である。図１及び図２に示すように、本実施の形態の現場別配送用ラック１は、縦長に形成された底板１１の一方の側面に一方の側板１２を配設し、他方の側面に他方の側板１３を配設している。
【００１１】
また、上記底板１１の前後にキャスターを２個ずつ取り付けることにより、現場別配送用ラック１の移動を容易に行うことができるようにしている。具体的には、一端側の左右に自在キャスター１４を配設し、多端側に固定キャスター１５を配設している。また、上記自在キャスター１４にはストッパー１４ａを配設して、現場別配送用ラック１が不測に動くのを防止できるようにしている。
【００１２】
本実施の形態においては、上記現場別配送用ラック１の内部空間を上下に区画する中板１６を配設し、上記現場別配送用ラック１の内部に２つの収容空間を形成している。なお、上記中板１６は無くてもよく、２個以上で設けてもよい。
【００１３】
上記現場別配送用ラック１の具体的な構成は任意であるが、本実施の形態においては、角棒２により細長い箱型の枠組みを形成し、上記枠組みに底板１１、一方の側板１２、他方の側板１３及び中板１６を取り付けて現場別配送用ラック１を構成した例を示している。これらの底板１１、一方の側板１２、他方の側板１３及び中板１６は、本実施の形態においては合板を使用している。
【００１４】
次に、上述のように構成した本実施の形態の現場別配送用ラック１の使用例を説明する。
図３の斜視図に示すように、現場別配送用ラック１の上部及び下部の収容空間にドア、幅木、廻縁、枠組み等の建築材料３０を収容して使用する。この際に、上記ドア、幅木、廻縁、枠組み等の建築材料３０の端部をドア、幅木、廻縁、枠組みの外側に突出させて収容するようにして、上記建築材料３０の端部に貼り付けられているラベル３が外部から見えるようにする。図３には、上側にドア４等のように注文に応じて作成した建築材料を収容し、下側には幅木や廻縁等のように加工を必要としない購入した物流品５を収容するようにした例を示している。また、各建築材料３０の先端部には先端養生用ビニル３１が取り付けられている。
【００１５】
上記ラベル３には、例えば配送先、製品名、配送日時、個数等の情報が記載されている。このようにして収容したドア、幅木、廻縁、枠組み等の建築材料３０及び物流品５を出荷する場合には、図３に示した状態を、例えばデジタルカメラで撮影する。
【００１６】
そして、図４の出荷状態説明図に示すように、搬送用自動車４０の荷台に現場別配送用ラック１をそのまま積載する。図４の例では、上記搬送用自動車４０の幅が１９００ｍｍ程度であるので、上記現場別配送用ラック１の幅を８００ｍｍ程度に構成している。また、現場別配送用ラック１の高さを１５００ｍｍ程度にして、上記搬送用自動車４０の荷台に現場別配送用ラック１を２個積載できるようにしている。
【００１７】
上記現場別配送用ラック１を上記搬送用自動車４０の荷台上に積載したら適宜の方法で固定するが、上記搬送用自動車４０の荷台は前方（運転席側）に向かって多少傾斜しているので、上記現場別配送用ラック１が不測に後方に移動して搬送用自動車４０から落下する危険性はない。上記現場別配送用ラック１を搬送用自動車４０上に積載して固定したら荷台の後部板４１を閉めてロックする。なお、図４において４２は荷台の幌を示している。
【００１８】
上述のようにしてドア、幅木、廻縁、枠組み等の建築材料３０を所定の建築現場に配送したら、上記現場別配送用ラック１からこれらの建築材料を降ろす作業を行う。この際に、建築現場及び現場別配送用ラック１の写真を撮っておくようにすると、後で役にたつ場合があるので都合が良い。
【００１９】
図５に、ドア、幅木、廻縁、枠組み等の建築材料３０及び物流品５を降ろした後の現場別配送用ラック１を撮影した例を示す。本実施の形態の現場別配送用ラック１は左右の両側に一方の側板１２及び他方の側板１３を設けているのみであるから、現場別配送用ラック１の前方又は後方から内部の収容空間を全て見通すことができる。したがって、現場別配送用ラック１に載せておいた建築材料を降ろし損なう間違いが発生するのを確実に防止することができる。
【００２０】
以上説明したように、本考案の現場別配送用ラック１によれば、建築材料を受注することにより建築現場毎に種々の建築材料を品揃いする際に、容易に且つ確実に行うことができる。これにより、品揃い時に発生する間違いを可及的に少なくすることができる。
【００２１】
また、本実施の形態の現場別配送用ラック１はドア、幅木、廻縁、枠組み等の建築材料３０及び物流品５を収容した状態で搬送用自動車４０に積載することができるので、建築現場単位で行う配送車への積み込み及び配送車からの積み降ろしを容易に且つ確実に行うことができる。
【００２２】
更に、現場別配送用ラック１は左右の両側に一方の側板１２及び他方の側板１３を設けているのみであるから、その内部の収容空間を前方又は後方から全て見通すことができるので、収容していた建築材料３０及び物流品５等を降ろし損なう間違いが発生するのを確実に防止することができる。
【００２３】
（第２の実施の形態）
次に、図６〜図８を参照しながら本考案の現場別配送用ラックの第２の実施の形態を説明する。
本実施の形態の現場別配送用ラック３００は、低部用パイプ４００を細長い矩形上に組み、そこに底板４１０を配設してラック底部５００を構成している。そして、上記ラック底部５００の下側に、ストッパー１４ａを有する自在キャスター１４及び固定キャスター１５を取り付けているのは上述した第１の実施の形態と同様であるが、本実施の形態においては、その他に、上記ラック底部５００に進退自在キャスター３５０を複数個取り付けている。
【００２４】
上記進退自在キャスター３５０は、ラックの側方向に進退自在に取り付けられていて、上記ドア、幅木、廻縁、枠組み等の建築材料３０を収納保持している状態においては、図７及び図８に示したように、ラック底部５００の側方向に進出してラックを安定的に支持している。また、建築現場に配送するために搬送用自動車４０に乗せる状態においては、図６に示したように、ラック底部５００の下方に後退することで、ラックの全幅を小さくすることができるものである。本実施の形態においては、左側に２個、右側に２個の合計４個の進退自在キャスター３５０を配設している。
【００２５】
上述のように構成された本実施の形態の現場別配送用ラック３００は、図７及び図８に示したように、例えば、ドアー枠の組み立て前のセット６００を収納するために用いられる。図７及び図８に示したように、本実施の形態の現場別配送用ラック３００の場合には、ラックの片側半分にドアー枠用材料セット６００を縦方向に向けて収納し、他の片側半分には上記ドアー枠用材料セット６００を横方向に載置している例を示している。また、ドアー枠用材料の各先端には先端養生用ビニル６０１が取り付けられていて、保管中または搬送中に材料の先端が損傷するのを防止している。また、横方向に収納しているドアー枠用材料セット６００の先端部を保護するために防護ネット６０３を被せている。
【００２６】
また、上記縦方向パイプ部材３２０に全体ラベル６０２が取り付けられており、その現場別配送用ラック３００にはどのようなドアー枠用材料セット６００が収納されているのかを明確に分かるようになっている。また、詳細な図示を省略するが、先端養生用ビニル６０１の内部には個々の材料の名称を示すラベルが貼り付けられており、各建築材料毎の確認も容易にできるようにしている。
【００２７】
更に、本実施の形態においては、ドアー枠用材料セット６００毎に材料支持バンド７０で現場別配送用ラック３００に支持するようにしているので、収納したセット数の確認を容易に行なうことができるようにしている。また、図８に示したように、横方向に載置しているドアー枠用材料セット６００をビニル紐８０で結束して、保管中または搬送中にこれらのドアー枠用材料が落下しないようにしている。
【００２８】
上述したように、本実施の形態においては、縦方向パイプ部材３２０、横方向パイプ部材３３０、及び建築材料用パイプ３４０を用いて現場別配送用ラック３００を構成したので、ドアー枠用材料セット６００を収納した状態において、収納している各部材を容易に、且つ確実に知ることができる。これにより、各々の現場毎に建築材料を纏める場合、または搬送する場合において、間違いが発生するのを確実に防止することができる。
【００２９】
また、図７及び図８において矢印Ｙで示したように、ラック底部５００の下側に進退自在キャスター３５０を配設したので、現場別配送用ラック３００を床面に対して支持する幅を広くして安定的に支持することができる。また、搬送用自動車４０に載置する場合には、上記進退自在キャスター３５０をラック底部５００の下側に後退させることにより、現場別配送用ラック３００の全幅を小さくしてコンパクト化することができる。
【００３０】
【考案の効果】
以上説明してきたように、本考案によれば、ドア、幅木、廻縁、枠組み等の建築材料３０及び物流品５を建築現場毎に収納するとともに、上記収納した建築材料３０及び物流品５を各建築現場に配送するために用いられる現場別配送用ラック１であって、上記ドア、幅木、廻縁、枠組み等の建築材料３０及び物流品５の端部に付設されているラベル３を突出させて収納することにより、上記ラベル３を撮影することが可能に構成するとともに、少なくとも前方又は後方の何れか一方からラック内部の全体を見通すことが可能に構成し、且つラックの移動を容易にするためのキャスター１４，１５を底部に取り付けたので、他の建築現場とは明確に区別した状態で品揃いを行うことが可能となり、建築現場毎に行う建築材料３０及び物流品５の品揃いを容易に且つ確実に行うようにすることができる。また、現場毎の品揃いに利用した現場別配送用ラック１を搬送用自動車４０にそのまま積載することができるので、建築現場単位で行う配送車への積み込み及び配送車からの積み降ろしを容易に且つ確実に行うことができる。
【００３１】
また、本考案の他の特徴によれば、ドア、幅木、廻縁、枠組み等の建築材料を収納するラック本体部分３１０を縦方向パイプ部材３２０及び横方向パイプ部材３３０を組み合わせて構成するとともに、上記ドア、幅木、廻縁、枠組み等の建築材料を支持するための建築材料用パイプ３４０の複数を上記縦方向パイプ部材３２０及び横方向パイプ部材３３０に取り付け、上記ドア、幅木、廻縁、枠組み等の建築材料の端部に付設されているラベル３を外部から撮影することが可能に構成したこと、ラックの移動を容易にするためのキャスター１４，１５を底部に取り付けたこと、上記ドア、幅木、廻縁、枠組み等の建築材料を収納保持している状態においては側方向に進出してラックを安定的に支持し、建築現場に配送するために運搬車に乗せる状態においてはラック本体内に後退してラックの全幅を小さくする進退自在キャスター３５０をラック底部５００の下側に複数個配設したので、収納している各部材を容易に、且つ確実に知ることができ、各々の現場毎に建築材料を纏める場合、または搬送する場合において、間違いが発生するのを確実に防止することができる。
【００３２】
また、ラック底部５００の下側に配設した進退自在キャスター３５０を操作することにより、現場別配送用ラック３００を床面に対して支持する幅を広くして安定的に支持することができるとともに、上記進退自在キャスター３５０をラック底部５００の下側に後退させることにより、現場別配送用ラック３００の全幅を小さくしてコンパクト化することができる。
【図面の簡単な説明】
【図１】本考案の第１の実施の形態を示し、現場別配送用ラックの全体構成を示す斜視図である。
【図２】現場別配送用ラックの全体構成を示す側面図である。
【図３】建築材料を収容した状態を示す現場別配送用ラックの斜視図である。
【図４】現場別配送用ラックを搬送用自動車に積載した状態の一例を示す図である。
【図５】収容したドア、幅木、廻縁、枠組み等の建築材料を全て降ろした後の状態を説明する現場別配送用ラックの正面図である。
【図６】本考案の第２の実施の形態を示し、現場別配送用ラックの全体構成を示す斜視図である。
【図７】ドアー枠用材料セットを収納している状態を示す斜視図である。
【図８】ドアー枠用材料セットを収納している状態を示す斜視図である。
【符号の説明】
１　現場別配送用ラック
２　角棒
３　ラベル
５　物流品
１１　底板
１２　一方の側板
１３　他方の側板
１４　自在キャスター
１４ａ　ストッパー
１５　固定キャスター
１６　中板
３０　建築材料
３１　先端養生用ビニル
４０　搬送用自動車
４１　荷台の後部板
４２　荷台の幌
３００　現場別配送用ラック
３１０　ラック本体部分
３２０　縦方向パイプ部材
３３０　横方向パイプ部材
３４０　建築材料用パイプ
４００　低部用パイプ
４１０　底板
５００　ラック底部
６００　ドアー枠用材料セット
６０１　先端養生用ビニル
６０２　全体ラベル
【図１】
0003099695.tif 000003
【図２】
0003099695.tif 000004
【図３】
0003099695.tif 000005
【図４】
0003099695.tif 000006
【図５】
0003099695.tif 000007
【図６】
0003099695.tif 000008
【図７】
0003099695.tif 000009
【図８】
0003099695.tif 000010